(57)【特許請求の範囲】
【請求項１】
原稿画像全面の地肌濃度を基準にして地肌除去を行う第１の地肌除去モードと、原稿画像の特定領域の地肌濃度基準にして地肌除去を行う第２の地肌除去モードを備えた画像読取装置であって、
原稿画像を光学的に読み取り画像信号に変換する光電変換手段と、
前記光電変換手段で読み取った画像信号をデジタルの画像データに変換するＡ／Ｄ変換手段と、
前記読み取った原稿画像を変換した画像データを表示する画像表示手段と、
前記表示手段のコントラスト及び／又はブライトネスを変更する変更手段と、
前記表示手段に表示した画像データに基づいて前記原稿画像上の特定領域を指定する座標指定手段と、
前記第１の地肌除去モードと前記第２の地肌除去モードを選択する選択手段と、
前記選択手段により前記第１の地肌除去モードが選択された場合に原稿画像全面の地肌に基づいて地肌除去を行うとともに、前記第２の地肌除去モードが選択された場合にはプレスキャンを行って前記画像表示手段に表示した原稿画像の画像データに基づいて前記座標指定手段で指定した原稿画像の特定領域の地肌濃度を基準にして前記読み取った原稿画像の地肌除去処理する地肌除去手段と、を備え、
前記変更手段は前記第２の地肌除去モードが選択され、プレスキャンを行って前記表示手段に原稿画像の画像データを表示する際に前記表示手段のコントラスト及び／又はブライトネスを下げることを特徴とする画像読取装置。
【請求項２】
前記地肌除去手段は、地肌濃度に基づいて前記Ａ／Ｄ変換手段のリファレンスレベルを変更することで地肌除去処理することを特徴とする請求項１に記載の画像読取装置。
【請求項３】
請求項１または２に記載の画像読取装置を備えた画像形成装置。
【発明の詳細な説明】
【０００１】
【発明の属する技術分野】
本発明は、スキャナ、デジタル複写機、デジタルカラー複写機、ファクシミリ、カラーファクシミリ等で用いられる画像読取装置及び画像形成装置に関し、特に、地肌除去技術に関する。
【０００２】
【従来の技術】
特開平７−２６４４２１号公報には、画像読取装置により原稿をＲ、Ｇ、Ｂのデジタル信号で読み出し、面順次でＫ、Ｃ、Ｍ、Ｙの記録信号を得る色補正処理装置を有する画像処理装置において、ファーストスキャン時にＫ、Ｃ、Ｍ、Ｙ版のいずれかの記録信号を得ると同時に、セカンドスキャン以降の地肌検出に用いるしきい値を自動設定し、セカンドスキャン後の地肌検出はファーストスキャン時に設定したしきい値を使用する技術が開示されている。
【０００３】
また、特開平７−２６４４０８号公報には、原稿抑え板と原稿の地肌を識別し、原稿抑え板領域を除いた原稿の地肌領域の濃度レベルを高精度に検出する技術が開示されている。
【０００４】
さらに、地肌除去手段の地肌除去レベルの調整を、原稿画像のピーク値に対してＡ／Ｄ変換手段のリファレンス電圧のオフセットを調整する技術が本出願人より出願されている。
【０００５】
【発明が解決しようとする課題】
しかしながら、従来の地肌除去を行う画像読取装置においては、読み取り原稿が新聞を任意に切ったものである場合や、新聞等を白紙に切り張りしたような特殊な原稿の場合には、通常の全面地肌除去を行うと、地肌除去したい新聞原稿部分よりバックの圧板面や切り張りした台紙の方が白いので、この白部分を地肌の高い領域として取ってしまうため、新聞原稿面は地肌飛ばしできないという問題があった。
【０００６】
また、その他の特殊な原稿としては、本原稿の綴じ部の浮きによる全反射光の入力やプリント基板等の全反射する材質を含む原稿があるが、全反射光があるとその部分は異常に明るいため、この部分を地肌と取ってしまうことにより、期待通りの地肌除去をすることができないという問題があった。
【０００７】
また、新聞を任意に切ったものをコンタクトガラス上に置いて、原稿を押さえる圧板を閉じると、新聞がずれてしまうことがあり、このため、原稿の置き直しと読み取りを何度もやり直す必要があるという問題があった。
また、何度もやり直すと、デジタル複写機の場合はミスコピーとなり、用紙及びトナー等の消耗品が無駄になるという問題があった。
【０００８】
従って、本発明の主な目的は、原稿の地肌において飛ばしたい濃度を設定できるようにして、特殊な原稿に対して良好な地肌除去ができることである。
【０００９】
また、本発明の副次的な目的は、地肌除去したい濃度レベルをプレスキャンによって表示することにより、ディスプレーエディタで正確に設定できるようにすることである。
また、読み取った画像に対して地肌除去濃度領域を指定することにより、前述した原稿の置き直しと読み取りを何度もやり直す必要がないようにすることを目的とする。
また、デジタル複写機の場合における用紙及びトナー等の消耗品が無駄になることを防止することを目的とする。
【００１０】
また、本発明の副次的な目的は、上記特殊な原稿でない場合は、通常の地肌除去であるプレスキャンなしの全面ピーク値地肌除去モードを行っても問題がないため、生産性を上げるためのモードと、特殊な原稿の場合の前述の不具合を防止するモードとを持つことにより、ユーザニーズに対応できるようにすることである。
【００１１】
また、本発明の副次的な目的は、ディスプレーエディタの階調性がない場合でも、地肌部分の濃度を把握して領域を設定できるように、地肌除去モードの選択時のプレスキャン時に表示部のコントラストとブライトネスとを下げることにより、ユーザが地肌除去濃度領域を調整しやすくすることである。
【００１３】
【課題を解決するための手段】
上記の目的を達成するために、本発明の請求項１に記載の発明は、原稿画像全面の地肌濃度を基準にして地肌除去を行う第１の地肌除去モードと、原稿画像の特定領域の地肌濃度基準にして地肌除去を行う第２の地肌除去モードを備えた画像読取装置であって、原稿画像を光学的に読み取り画像信号に変換する光電変換手段と、光電変換手段で読み取った画像信号をデジタルの画像データに変換するＡ／Ｄ変換手段と、読み取った原稿画像を変換した画像データを表示する画像表示手段と、表示手段のコントラスト及び／又はブライトネスを変更する変更手段と、表示手段に表示した画像データに基づいて原稿画像上の特定領域を指定する座標指定手段と、第１の地肌除去モードと第２の地肌除去モードを選択する選択手段と、選択手段により第１の地肌除去モードが選択された場合に原稿画像全面の地肌に基づいて地肌除去を行うとともに、第２の地肌除去モードが選択された場合にはプレスキャンを行って画像表示手段に表示した原稿画像の画像データに基づいて座標指定手段で指定した原稿画像の特定領域の地肌濃度を基準にして読み取った原稿画像の地肌除去処理する地肌除去手段と、を備え、変更手段は第２の地肌除去モードが選択され、プレスキャンを行って表示手段に原稿画像の画像データを表示する際に表示手段のコントラスト及び／又はブライトネスを下げることを特徴とする。
また、請求項２記載の発明は、請求項１記載の発明において、地肌除去手段は、地肌濃度に基づいてＡ／Ｄ変換手段のリファレンスレベルを変更することで地肌除去処理することを特徴とする。
また、請求項３に記載の発明は、請求項１または２に記載の画像読取装置を備えた画像形成装置であることを特徴とする。
【００１４】
【発明の実施の形態】
以下、本発明の実施の形態を図面と共に説明する。
図８は本発明の実施の形態による画像読取装置が用いられる画像形成装置の実施の形態を示す。
図８において、画像読み取りユニット２０２により、原稿を光源により照射しながら原稿を走査して、原稿からの反射光を３ラインＣＣＤセンサにより読み取り、画像データを画像処理ユニット２０３に送る。画像処理ユニット２０３では、スキャナγ補正、色変換、主走査変倍、画像分離、加工、エリア処理、階調補正処理等の画像処理を行い、処理された画像データを画像書き込みユニット２０４へ送る。
【００１５】
画像書き込みユニット２０４では、画像データに応じてＬＤ（レーザダイオード）の駆動を変調する。ドラムユニット２０８では、一様に帯電された回転する感光体ドラムに上記ＬＤからのレーザビームにより潜像を書き込み、現像部２１０によりトナーを付着させて顕像化させる。感光体ドラム上に作られた画像は、中間転写部２０９の転写ベルト上に再転写される。中間転写ベルト上にはフルカラーコピーの場合、４色（Ｂｋ、Ｃ、Ｍ、Ｙ）のトナーが順次重ねられる。
【００１６】
フルカラーコピーの場合には、Ｂｋ、Ｃ、Ｍ、Ｙの４色作像・転写工程が終了した時点で、中間転写ベルトとタイミングを合わせて給紙部２１１より転写紙が給紙され、紙転写部で中間転写ベルトから４色同時に転写紙にトナーが転写される。トナーが転写された転写紙は、搬送部を経て定着部２１２に送られ、定着ローラと加圧ローラによって熱定着され排紙される。
【００１７】
また、コピーモード等のユーザが設定するものは、操作部ユニット２０５により入力される。設定されたコピーモード等の操作モードはシステム制御ユニット２０１に送られ、システム制御ユニット２０１では設定されたコピーモードを実行するための制御処理を行う。この時、システム制御ユニット２０１から、画像読み取りユニット２０２、画像処理ユニット２０３、画像書き込みユニット２０４、画像表示ユニット２０７等の各ユニットに対して制御指示を行う。
【００１８】
画像処理ユニット２０３から出力された画像データは、図９に示す画像表示ユニット２０７の機能ブロック図におけるＦＩＦＯ２２１を介して、ＣＰＵ２２３内蔵のＤＭＡコントローラによって、画像データ格納用のＤＲＡＭ２２２に格納される。画像表示ユニット２０７には、画像データと共に画像データ制御信号も送られているので、有効画像領域だけを取り込むことが可能である。
【００１９】
ＤＲＡＭ２２２に格納された有効画像データは、ＣＰＵ２２３によってＶＲＡＭ２２４にＤＭＡ転送される。この時ＣＰＵ２２３によってＤＲＡＭ２２２内の画像データの任意の部分を転送したり、拡大・縮小・間引き等の処理を行うことも可能である。ＶＲＡＭ２２４に転送された画像データは、ＬＣＤＣ（ＬＣＤコントローラ）２５５の制御によりＬＣＤパネル２２６に表示される。
【００２０】
次に、本発明の実施の形態による画像読取装置について図面を参照しながら説明する。
図１０は画像表示ユニット２０７の構成図である。
画像表示ユニット２０７は、画像をＬＣＤ（液晶パネル）ディスプレイ７１に表示させ、その画面内で編集・加工のエリア指定／モード設定を行うためのディスプレイエディタを兼用しても良い。図１０の各設定キー等７２〜８６は、図９の機能ブロック図においてはキーボード２３１部分にあたる。
【００２１】
図１０においては、ＬＣＤディスプレイ７１、選択されているキー７２、読み取りキー７３、コントラスト調整つまみ７４、明るさ調整つまみ７５、全体キー７６、拡大キー７７、スケール表示部７８、表示基準７９、カーソル８０、クリアキー８１、オールクリアキー８２、閉じるキー８３、点指定キー８４、カーソルキー８５、画面移動キー８６が設けられている。
【００２２】
図１１に図８の操作部ユニット２０５の構成を示す。
テンキー４１、モードクリア／予熱キー４２、割り込みキー４３、画質調整キー４４、プログラムキー４５、プリントスタートキー４６、クリア／ストップキー４７、エリア加工キー４８、輝度調整つまみ４９、ＬＣＤディスプレイ７１上に配置されたタッチパネルキー５０、初期設定キー５１等が設けられている。
【００２３】
テンキー４１は、コピー枚数等の数値入力を行う場合に使用する。モードクリア／予熱キー４２は、設定したモードを取り消して初期設定に戻す場合や、一定時間以上の連続押下で予熱状態とする設定を行う。割り込みキー４３は、コピー中に割り込み、別の原稿のコピーを行う場合に使用する。画質調整キー４４は、画質の調整を行うときに使用する。プログラムキー４５は、よく使用するモードの登録や呼出を行う場合に使用する。プリントスタートキー４６は、コピー開始のためのキーである。
【００２４】
クリア／ストップキー４７は、入力した数値をクリアする場合や、コピー途中でコピーを中断する場合に使用する。エリア加工キー４８は、画像表示ユニット（ディスプレイエディタ）上で、エリア加工・編集等のモードを使用する場合に使用する。輝度調整つまみ４９は、ＬＣＤパネルの画面の明るさを調整する。また、タッチパネルキー５０は、ＬＣＤディスプレイ上に表示された各種のキーの範囲と同じ範囲にキーエリアを設定して、タッチパネルが設定された範囲内の押下を検出すると、その設定されたキーの処理を行う。初期設定キー５１は、ユーザが各初期設定を選択できる時に押下する。
【００２５】
図１２にＬＣＤディスプレイ７１の液晶表示画面の一例を示す。図１２に示されるように、ＬＣＤ画面上でカラーモード、自動濃度、マニュアル濃度、画質モード、自動用紙選択、用紙トレイ、用紙自動変倍、等倍、ソート、スタック等のモード選択表示があり、さらに、クリエイト、カラー加工、両面、変倍等のサブ画面選択表示もある。各表示の大きさと同様の大きさのキーがタッチパネル上に設定されている。
【００２６】
図１３に図１２における変倍キー７１ａ押下による画面展開の一例を示す。
変倍キー７１ａが押下されると、画面下方から変倍設定画面がスクロールアップされる。変倍設定画面には定型変倍（予め変倍率が設定されている変倍モード）用のキーが設定されている。例えば７１％の部分のタッチパネルキーを押下すると、変倍率７１％が選択される。またこの画面には定型変倍以外の変倍モードを選択するため、ズームキー、寸法変倍キー、独立変倍／拡大連写キーが画面左側に設定されている。
【００２７】
図１４はタッチパネル検出回路の構成例を示し、図１５は図１４のＸ１、Ｘ２、Ｙ１、Ｙ２の設定状態を表したものである。
図１４におけるコントローラ９０は、検出端子をＨｉｇｈ状態にして、Ｘ１、Ｘ２、Ｙ１、Ｙ２を図１５に示されるように設定する。Ｙ１、Ｙ２の回路は抵抗でプルアップされているので、タッチパネルＯＦＦのときＹ１は＋５ｖになり、ＯＮの時は０ｖになる。従って、Ａ／Ｄコンバータ９１の出力からＯＮ／ＯＦＦの状態を確認する。コントローラ９０は、タッチパネルＯＮの状態を検知すると測定モードに切り換える。Ｘ方向の時はＸ１は＋５ｖ、Ｘ２は０ｖになり、入力位置の電位がＹ１を通してＡ／Ｄコンバータ９１に接続されて座標が算出される。Ｙ方向の座標も回路を切り換えて同様に算出される。このようなタッチパネル検出回路によって、タッチパネルの押下位置が検出される。
【００２８】
図１６は操作部ユニット２０５のブロック図を示したものである。
図１６において、ＣＰＵ１００からのアドレス信号はアドレスラッチ１０１に取り込まれ、ＣＰＵ１００からの信号によりここでコントロールされる。アドレスラッチ１０１を出たアドレス信号はその一部がアドレスデコーダ１０２に入り、ここで各ＩＣへのチップセレクト信号を作り、メモリマップの作成に使用される。また、アドレスはＲＯＭ、ＲＡＭ等のメモリ１０３、１０４、１０５やＬＣＤコントローラ１０６に入り、アドレス指定に使用される。
【００２９】
一方、ＣＰＵ１００からのデータバスはメモリ１０３〜１０５やＬＣＤコントローラ１０６に接続され、データの双方向通信が行われる。ＬＣＤコントローラ１０６は、ＣＰＵ１００からのアドレスバス、データバスの他に、ＬＥＤドライバ１０７、キーボード１０８、アナログタッチパネル１０９、ＬＣＤモジュール１１０、そして表示データ用のＲＯＭ１０４、ＲＡＭ１０５等が接続されている。ＬＣＤコントローラ１０６は、キーボード１０８からの信号やタッチパネル１０９からの信号によりＲＯＭ、ＲＡＭのデータから表示データを作成し、ＬＣＤ上への表示をコントロールする。また、ＣＰＵ１００には光ファイバ用コネクタを介して光トランシ−バ１１１が接続されており、外部との通信を行っている。
【００３０】
図１は本発明の実施の形態による画像読取装置の全体ブロック図を示す。
図１において、スキャナＩＰＵ制御部上のＣＰＵ１は、ＲＯＭ２に格納されたプログラム実行し、ＲＡＭ３にデータ等を読み書きすることでスキャナ・ＩＰＵ部の全体の制御を行っている。また、システム制御部４とシリアル通信で接続されており、コマンド及びデータの送受信により指令された動作を行う。さらに、システム制御部４は操作表示部５とシリアル通信で接続されており、ユーザからのキー入力指示により動作モード等の指示を設定することができる。
【００３１】
ＣＰＵ１は、Ｉ／Ｏ６である原稿検知センサ、ＨＰセンサ、圧板開閉センサ、冷却ファン等に接続されており、検知及びＯＮ／ＯＦＦの制御をしている。スキャナモータドライバ７は、ＣＰＵ１からのＰＷＭ出力によりドライブされ、励磁パルスシーケンスを発生し、原稿走査駆動用のパルスモータ８を駆動する。
【００３２】
原稿画像はランプレギュレータ９で駆動されたハロゲンランプ１０の光量出力により光信号を複数ミラー及びレンズを通り、３ラインＣＣＤ１１に結像される。３ラインＣＣＤ１１は、スキャナＩＰＵ制御上のタイミング回路１２により各駆動クロックを与えられて各ＲＧＢのｏｄｄ、ｅｖｅｎのアナログの画像信号をエミッタホロワ１３〜１５に出力している。エミッタホロワ１３〜１５からアナログ処理回路１６〜１８へ入力された信号は、アナログ処理回路内で減算法ＣＤＳ実行し、ＣＣＤのオプティカルブラック部でラインクランプ実施し、ｏｄｄとｅｖｅｎの出力差を補正し、それぞれのアンプゲイン調整を行う。
【００３３】
ゲイン調整後はマルチプレクサで合成して、最終的にＤＣレベルのオフセット調整後にＡ／Ｄコンバータ１９〜２１へ入力され、デジタル化されてシェーディング回路２２へ入力される。シェーディング回路２２は、照明系の光量不均一やＣＣＤの画素出力のバラツキを補正する機能を持っている。シェーディング補正された画像データはライン間補正メモリ２３、２４へ入力されて、３ラインＣＣＤ１１のＢとＧ、ＢとＲのライン数の画像データをメモリで遅延させてＢＧＲの読取画像の１ライン以上の位置合わせを行い、ドット補正部２５へ出力する。
【００３４】
ドット補正部２５では、ライン間補正メモリ２３、２４から出力された画像データをＲＧＢデータの１ライン以内ドットのズレを補正する。スキャナγ補正部２６では、反射率リニアデータをルックアップテーブル方式で補正を行う。この補正後の画像データは、自動原稿色判定回路２８と自動画像分離回路２９とディレーメモリ２７を介してＲＧＢフィルタ、色変換処理、変倍処理、クリエイト３０に入力される第１ルートと、画像データメモリ３３（Ｒ）、３４（Ｇ）、３５（Ｂ）の第２ルートに分かれる。
【００３５】
画像データメモリは、スキャナ最大読取領域の画像データをＲＧＢ別に蓄積できるＤＲＡＭで構成されており、１スキャンでＲＧＢの画像データを取り込むことも可能であり、フルカラー重ね画像出力時やリピート複写時はこの画像メモリから出力し、第１ルートに戻ることで対応できるようになっている。
【００３６】
自動原稿色判定回路２８では、ＡＣＳ（有彩／無彩判定）処理を自動画像分離回路２９（文字／網点）処理に入力される。ＡＣＳ処理では黒、及び灰色の判定を行う。像域分離処理ではエッジ判定（白画素と黒画素の連続性により判定）、網点判定（画像中の山／谷ピーク画素の繰り返しパターンにより判定）、写真判定（文字・網点外で画像データがある場合）を行い、文字及び印刷（網点）部、写真部の領域を判定してＣＰＵ１に伝え、後段のＲＧＢフィルタ３０、色変換プリンタγ補正部３１、ＹＭＣＫフィルタ、階調処理でパラメータや係数の切り換えに使用される。
【００３７】
画像データはＲＧＢフィルタ３０に入力される。ＲＧＢフィルタ３０では、ＲＧＢのＭＴＦ補正、平滑化、エッジ強調、スルー等のフィルタ係数を先の判定領域により切り換え設定される。色変換処理ではＲＧＢデータからＹＭＣＫ変換、ＵＣＲ、ＵＣＡ処理を実行する。変倍処理に入力され主走査の画像データに対して拡大／縮小処理を実行する。画像表示部３２の分岐はこの処理後に行われ、Ｉ／Ｆを介して画像表示部３２に接続されている。
【００３８】
クリエイトではクリエイト編集、カラー加工を行う。クリエイト編集では斜体、ミラー、影付け、中抜き処理等を実行する。カラー加工では、カラー変換、指定色消去、アンダーカラー等を実行する。プリンタγ補正部３１、ＹＭＣＫフィルタでは、先の判定領域に基づいてプリンタγ変換とフィルタ係数を設定する。階調処理ではディザ処理を実行し、ビデオコントロールでは書き込みタイミング設定や画像領域、白抜き領域の設定やグレースケールやカラーパッチ等のテストパターン発生を行うことができ、最終画像データを書き込み処理でＬＤ（レーザダイオード）へ出力できるように処理されてＬＤへ出力する。
【００３９】
各機能処理はＣＰＵ１に接続されており、ＲＯＭ２に格納されているプログラムにより各処理の設定と動作をシステム制御部４の指示により実行する。
【００４０】
次に、本実施の形態の動作について図２を参照して説明する。図２の図１と異なる点は、アナログ処理回路１６、１７、１８から出力されたアナログ信号をＡ／Ｄコンバータ１９、２０、２１に入力すると共に、地肌除去回路３３、３４、３５に入力し、地肌除去回路では、原稿の地肌に対応した電圧をＡ／Ｄコンバータ１９、２０、２１の上限のリファレンス電圧とすることにより、リアルタイムで地肌除去を行っている。
【００４１】
図３にＧ用の地肌除去回路３４の詳細図を示す。Ｒ用、Ｂ用も同じ構成の回路である。
Ｇ用のアナログ処理回路１７から地肌除去回路３４に入力されたアナログ信号の電圧は、Ｒ１とＲ２で分圧されてバッファＯＰ１を介してＣ１に蓄積されピーク検出が行われる。充電の時定数はＲ３とＣ１により決められる。また、同時にＲ４によって放電も行われるようになっている。放電の時定数はＲ４とＣ１により決められる。
【００４２】
ＯＰ２は蓄積された電圧をＲ７とＲ８で増幅し、Ａ／Ｄコンバータ３４１の基準電圧Ｖｒｅｆを入力することにより、原稿濃度によりＶｒｅｆがリアルタイムに変化することで地肌除去を行うことができる。地肌除去のレベルはＲ７とＲ８で固定される増幅率とＤ／Ａコンバータ３４２のＣＨ１により任意に出力されるオフセット電圧により決定することができる。
【００４３】
Ｄ／Ａコンバータ３４２の設定値はＣＰＵ１の制御プログラムにより設定される。ピーク検出の主走査方向のゲート信号はタイミング回路３４３からのＰＷＩＮＤ信号により制御される。ピーク検出の副走査方向の開始はタイミング回路３４３のＡＥＭＯＤＥ信号によりＴＲ１がＯＦＦされることにより開始される。
【００４４】
通常モード時（地肌除去を行わないモード）では、Ｄ／Ａコンバータ３４２のＣＨ２より既定電圧がかけられている。地肌除去モード時には、ＣＨ２の電圧を地肌除去電圧の有効領域まで下げることにより、原稿画像に対応して地肌除去を行うことができる。地肌除去レベルの微調整はＤ／Ａコンバータ３４２のＣＨ１の設定電圧をＣＰＵ１に接続されてアドレス、データバスにより設定値が制御プログラムにより設定されることにより決定される。
【００４５】
工場調整時に基準原稿に対して地肌レベルを調整し、ＣＨ１の設定値を入力することで対応できる。また、ＳＰモードに設定値を登録しておけば、サービスマンがランプ交換やその他の光学部品を交換した場合において、照度分布が変化して地肌除去レベルが変化した場合にも調整することが可能である。
【００４６】
図４はプレスキャンなしの全面地肌除去モード（第１の地肌除去モード）時のタイミングチャートである。
ＰＷＩＮＤ幅は固定値として、ＡＥＭＯＤＥはＦＧＡＴＥと同じ読み取り領域全面として選択ＳＷをＯＮとして地肌電圧を充電放電しながら原稿画像に応じた地肌除去をリアルタイムに行っている。
図５はプレスキャン有りの濃度領域指定地肌除去モード（第２の地肌除去モード）時の動作を示すタイミングチャートである。
【００４７】
地肌除去モード選択のフローチャートを図６に示す。
図６において、地肌除去モード選択キーが押されることにより、前述により説明した全面地肌除去モードと全面濃度指定地肌除去モードに分かれ、それぞれの設定値をセットするようになっている。
【００４８】
全面濃度指定地肌除去モードが選択された場合のフローチャートを図７に示す。
図７において、全面濃度指定地肌除去モードが選択されると、プレスキャンキーが押されるまで待機状態となる。プレスキャンキーが押されると、通常読み取りのプレスキャンを実行しディスプレイ上に表示する。読み取り画像データがディスプレイに表示されると、地肌部の濃度が認識しやすいようにコントラスト調整やブライトネス調整を下げることにより、ディスプレーエディタの階調性が高くない場合でも地肌除去したい、したくない部分を見分けられるように調整する。
【００４９】
次に、領域選択キーが押されるとディスプレーエディタ上のタッチパネルより座標が入力される。座標入力されると入力座標より主走査の開始Ｘ１・終了Ｘ２と副走査の開始Ｙ１・終了Ｙ１＋Ｙ２のそれぞれのカウント値を算出する。主走査はＰＷＩＮＤの開始と終了に一致する。副走査は開始はＡＥＭＯＤＥと等しいが、終了はＰＷＩＮＤ信号の発生回数Ｙ２により制御するようになっている。
【００５０】
次に、モード選択ＳＷ（アナログＳＷ）をＯＦＦにして放電回路を開放し、指定領域の地肌濃度レベルをサンプリングするプレスキャンを実行する。指定領域においてＰＷＩＮＤ信号が指定回数発生し、ＡＥＭＯＤＥ信号はＯＮ状態で動作して地肌濃度電圧をホールドする。これによりＡＤコンバータのＶｒｅｆが指定濃度レベルに固定される。
【００５１】
この状態で本スキャンを実行することにより指定濃度での全面地肌除去ができる。また、地肌除去の微調整はＤ／ＡコンバータのＣＨ１のオフセット電圧をＣＰＵからのソフト設定により変更することができる。例えば操作部から設定値を入力して調整したりＳＰモードから設定値を変更したりして対応することができる。
【００５２】
【発明の効果】
以上説明したように本発明によれば、読み取り原稿が新聞を任意に切った原稿、新聞等を白紙に切り張りした原稿、全反射光がある原稿のような地肌飛ばしをできないような特殊な原稿の場合でも、原稿の地肌を飛ばしたい濃度を設定できるので、特殊な原稿に対しても良好な地肌除去ができる効果がある。
【００５３】
また、本発明によれば、地肌除去したい濃度レベルをプレスキャンによって表示することによりディスプレーエディタで正確に設定できる効果がある。
また、新聞を任意に切った原稿をコンタクトガラス上に置いて、圧板を閉じた場合に新聞がずれてしまう場合でも、読み取った画像に対して地肌除去濃度領域を指定するので、原稿の置き直しと読み取りを何度もやり直す必要がないという効果が得られる。
また、デジタル複写機の場合は、置き直しと読み取りを何度もやり直す度にミスコピーとなり、用紙及びトナー等の消耗品が無駄になるが、これらを防止する効果が得られる。
【００５４】
また、本発明によれば、上記の特殊な原稿でない場合は通常の地肌除去であるプレスキャンなしの全面ピーク値地肌除去モードを行っても問題がないため生産性を上げるためのモードと、特殊な原稿でない場合における前述した不具合を防止するモードとを持つことにより、ユーザニーズに対応できる効果が得られる。
【００５５】
また、本発明によれば、ディスプレーエディタの階調性がない場合でも、地肌部分の濃度を把握して領域を設定できるように地肌除去モードの選択時のプレスキャン時に表示部のコントラストとブライトネスとを下げることにより、ユーザが地肌除去濃度領域を調整しやすくする効果がある。
【図面の簡単な説明】
【図１】本発明の実施の形態による画像読取装置の構成を示すブロック図である。
【図２】本発明の実施の形態による画像読取装置の動作時の構成を示すブロック図である。
【図３】地肌除去回路の構成図である。
【図４】地肌除去モード時の動作を示すタイミングチャートである。
【図５】プレスキャン有りの濃度領域指定地肌除去モード時の動作を示すタイミングチャートである。
【図６】地肌除去モード選択の動作を示すフローチャートである。
【図７】全面濃度指定地肌除去モードが選択された場合の動作を示すフローチャートである。
【図８】本発明を実施する画像形成装置の実施の形態を示す構成図である。
【図９】画像表示ユニットの構成を示すブロック図である。
【図１０】画像表示ユニットの構成図である。
【図１１】操作分ユニットの構成図である。
【図１２】ＬＣＤディスプレイの表示面の構成図である。
【図１３】変倍キー押下による画面展開の一例を示す構成図である。
【図１４】タッチパネル検出回路の構成図である。
【図１５】タッチパネル検出回路の設定状態を示す構成図である。
【図１６】操作部ユニットの構成を示すブロック図である。
【符号の説明】
１  ＣＰＵ
２  ＲＯＭ
３  ＲＡＭ
４  システム制御部
５  操作表示部
６  Ｉ／Ｏ
７  モ−タドライバ
８  パルスモ−タ
９  ランプレギュレ−タ
１０  ハロゲンランプ
１１  ３ラインＣＣＤ
１２  タイミング回路
１６  アナログ処理回路（Ｒ用）
１７  アナログ処理回路（Ｇ用）
１８  アナログ処理回路（Ｂ用）
２１  Ａ／Ｏコンバ−タ（Ｂ用）
２２  シェ−ディング回路（ＲＧＢ）
２３  ライン間補正メモリ（Ｒ用）
２４  ライン間補正メモリ（Ｇ用）
２５  ドット補正部
２６  スキャナγ補正部（ＲＧＢ）
２７  ディレ−メモリ（ＲＧＢ）
２８  自動原稿色判定回路
２９  自動画像分離回路
３０  ＲＧＢフィルタ
３１  プリンタγ補正部
３２  画像表示部
３３  画像デ−タメモリ（Ｒ用）
３４  画像デ−タメモリ（Ｇ用）
３５  画像デ−タメモリ（Ｂ用）
３６  Ｉ／Ｏインバ−タ
３４１  Ａ／Ｄコンバータ
３４２  Ｄ／Ａコンバータ
３４３  タイミング回路
【図１】
0003976494.tif 000002
【図２】
0003976494.tif 000003
【図３】
0003976494.tif 000004
【図４】
0003976494.tif 000005
【図５】
0003976494.tif 000006
【図６】
0003976494.tif 000007
【図７】
0003976494.tif 000008
【図８】
0003976494.tif 000009
【図９】
0003976494.tif 000010
【図１０】
0003976494.tif 000011
【図１１】
0003976494.tif 000012
【図１２】
0003976494.tif 000013
【図１３】
0003976494.tif 000014
【図１４】
0003976494.tif 000015
【図１５】
0003976494.tif 000016
【図１６】
0003976494.tif 000017